(57)【要約】【課題】受信状況が一時的に変化する場合であっても適切に電力を供給することが可能である。【解決手段】デジタル信号を受信して復調するデジタル復調装置の回路部品に電力を供給する際に、ＭＥＲ平均値が所定の閾値以上になったと判定する（Ｓ４、ＹＥＳ）と、その後の所定の期間内に複数回ＭＥＲ平均値を算出する。そして、その複数回算出したＭＥＲ平均値がいずれも所定の閾値以上であった場合（Ｓ９、ＹＥＳ）に初めて、回路部品への供給電力を低減する（Ｓ１０）。【選択図】図５
2008141660.tif 000002
【特許請求の範囲】
【請求項１】
受信手段、及び、前記受信手段が受信した受信信号に復調処理を施す復調手段を構成する複数の回路部品と、
前記回路部品に電力を供給する供給手段と、
前記受信信号の伝送経路上で発生したノイズによる誤差を補正する補正手段と、
前記受信信号を前記補正手段によって補正した信号に含まれる、補正ノイズの量を示す値を算出する算出手段と、
前記補正ノイズが所定の基準量以下になったことを前記算出手段が算出した算出値が示した場合に、前記補正ノイズが前記所定の基準量以下になったことを当該算出値が示した後の所定の期間内に前記算出手段が繰り返し算出した前記算出値に基づいて、当該所定の期間における前記受信信号の受信状況が良好か否かを判定する判定手段と、
前記受信状況が良好であると前記判定手段が判定した場合に、前記供給手段が前記回路部品に供給する電力を低減する低減手段とを備えていることを特徴とするデジタル復調装置。
【請求項２】
前記受信信号が、所定の長さを有する複数の単位信号が連なった信号列からなり、
前記補正手段が、前記信号列の伝送経路上で発生したノイズによる誤差を前記単位信号ごとに補正し、
前記算出手段が、複数の前記単位信号に関して前記補正手段が補正した補正量に基づいて、当該複数の単位信号に関する前記補正ノイズの量を示す値の平均値を算出し、
前記判定手段が、前記補正ノイズが前記所定の基準量以下になったことを前記算出手段が算出した前記平均値が示した場合に、前記補正ノイズが前記所定の基準量以下になったことを当該平均値が示した後の所定の期間内に前記算出手段が繰り返し算出した前記平均値に基づいて、当該所定の期間における前記受信信号の受信状況が良好か否かを判定することを特徴とする請求項１に記載のデジタル復調装置。
【請求項３】
前記判定手段が、
前記所定の期間内に前記算出手段が繰り返し算出した前記平均値がいずれも前記補正ノイズが前記所定の基準量以下であることを示した場合に、当該所定の期間における前記受信信号の受信状況が良好であると判定することを特徴とする請求項２に記載のデジタル復調装置。
【請求項４】
前記判定手段が、
前記所定の期間内に前記算出手段が繰り返し算出した前記算出値全体の分散と前記補正ノイズが前記所定の基準量以下であることを示す値との関係に基づいて、前記受信状況が良好であるか否かを判定することを特徴とする請求項１に記載のデジタル復調装置。
【請求項５】
前記補正手段が、前記受信信号列に含まれる各単位信号に波形等化処理を施す波形等化手段を有しており、
前記算出手段が、前記補正ノイズの量を示す値として、前記波形等化手段が施した波形等化処理に関するＭＥＲ（Ｍｏｄｕｌａｔｉｏｎ  Ｅｒｒｏｒ  Ｒａｔｉｏ）を算出することを特徴とする請求項１〜４のいずれか１項に記載のデジタル復調装置。
【請求項６】
受信手段、及び、前記受信手段が受信した受信信号に復調処理を施す復調手段を構成する複数の回路部品と、前記回路部品に電力を供給する供給手段とを有するデジタル復調装置の制御方法であって、
前記受信信号の伝送経路上で発生したノイズによる誤差を補正する補正ステップと、
前記受信信号を前記補正ステップによって補正した信号に含まれる補正ノイズの量を示す値を算出するステップと、
前記補正ノイズが所定の基準量以下になったことを前記算出ステップの算出値が示した場合に、前記補正ノイズが前記所定の基準量以下になったことを、当該算出値が示した後の所定の期間内に前記算出ステップで繰り返し算出した前記算出値に基づいて、当該所定の期間における前記受信信号の受信状況が良好か否かを判定するステップと、
前記受信状況が良好であると前記判定ステップで判定した場合に、前記供給手段が前記回路部品に供給する電力を低減する低減ステップとを備えていることを特徴とするデジタル復調装置の制御方法。
【発明の詳細な説明】
【技術分野】
【０００１】
本発明はデジタル復調装置及びその制御方法に関する。
【背景技術】
【０００２】
変調されたデジタル信号を受信して復調する装置において、正確な復調信号を取得するためには回路部品への供給電力をある程度の大きさに確保しなければならない。必要な供給電力の大きさは信号の受信状況に応じて異なる。例えばある回路部品において、受信状況が良好でない場合には供給電力を大きくしなければならないが、受信状況が良好な場合には供給電力をそれほど大きくする必要はない。そこで、消費電力を低減するために、信号の受信状況に応じて回路部品への供給電力を調整することが考えられる。
【０００３】
特許文献１の装置は、ＴＶ放送を受信し、その受信信号を復調して音声や映像を再生するものである。この装置は受信状況に応じて回路部品への供給電力を調整する。具体的には、信号の受信レベルが閾値以下になったときには信号の受信部への電力供給を停止し、受信レベルが閾値を超えたときには電力供給を再開する。これによると、受信レベルが極端に悪いときには電力供給が停止されるので、消費電力が削減される。
【０００４】
【特許文献１】特開２００５−３３６７１号公報
【発明の開示】
【発明が解決しようとする課題】
【０００５】
しかし、特許文献１は、受信レベルが閾値以下になるとすぐに電力供給を停止したり、受信レベルが閾値を超えるとすぐに電力供給を開始したりする。このような構成によると、受信状況の単なる一時的な変化に応じて電力供給を停止又は開始するおそれがある。例えば、閾値以下の状態から受信レベルが一時的に上昇して閾値を超え、その後すぐに閾値以下に戻る場合に、受信レベルの一時的な上昇に応じて電力供給を再開してしまい、その後受信レベルが閾値以下に戻って受信状況が悪化しても依然として電力が供給されている、という事態が生じ得る。したがって、特許文献１のように受信状況が変化するとすぐに供給する電力を変更する構成によると、受信状況の変化に応じた電力供給の制御が適切になされない。
【０００６】
本発明の目的は、一時的な変化を含む受信状況の変化に応じて適切に電力を供給することが可能なデジタル復調装置及びその制御方法を提供することにある。
【課題を解決するための手段及び効果】
【０００７】
本発明のデジタル復調装置は、受信手段、及び、前記受信手段が受信した受信信号に復調処理を施す復調手段を構成する複数の回路部品と、前記回路部品に電力を供給する供給手段と、  前記受信信号の伝送経路上で発生したノイズによる誤差を補正する補正手段と、前記受信信号を前記補正手段によって補正した信号に含まれる補正ノイズの量を示す値を算出する算出手段と、前記補正ノイズが所定の基準量以下になったことを前記算出手段が算出した算出値が示した場合に、前記補正ノイズが前記所定の基準量以下になったことを当該算出値が示した後の所定の期間内に前記算出手段が繰り返し算出した前記算出値に基づいて、当該所定の期間における前記受信信号の受信状況が良好か否かを判定する判定手段と、前記受信状況が良好であると前記判定手段が判定した場合に、前記供給手段が前記回路部品に供給する電力を低減する低減手段とを備えている。
【０００８】
また、本発明のデジタル復調装置の制御方法は、受信手段、及び、前記受信手段が受信した受信信号に復調処理を施す復調手段を構成する複数の回路部品と、前記回路部品に電力を供給する供給手段とを有するデジタル復調装置の制御方法であって、前記受信信号の伝送経路上で発生したノイズによる誤差を補正する補正ステップと、前記受信信号を前記補正ステップによって補正した信号に含まれる補正ノイズの量を示す値を算出するステップと、前記補正ノイズが所定の基準量以下になったことを前記算出ステップの算出値が示した場合に、前記補正ノイズが前記所定の基準量以下になったことを、当該算出値が示した後の所定の期間内に前記算出ステップで繰り返し算出した前記算出値に基づいて、当該所定の期間における前記受信信号の受信状況が良好か否かを判定するステップと、前記受信状況が良好であると前記判定ステップで判定した場合に、前記供給手段が前記回路部品に供給する電力を低減する低減ステップとを備えている。
【０００９】
本発明のデジタル復調装置及びその制御方法によると、補正ノイズの量が基準量以下になったと算出値が示しても、その後に所定の期間に亘って補正ノイズの量を示す値を複数回算出し、その算出値に基づいて受信状況が良好か否かを判定する。したがって、一時的に受信状況が改善しただけでは受信状況が良好であると判定されないので、より適切に供給電力を低減させることが可能である。また、受信状況が良好であると判定されると供給電力が低減されるので、装置全体の消費電力が抑制される。
【００１０】
また、本発明においては、前記受信信号が、所定の長さを有する複数の単位信号が連なった信号列からなり、前記補正手段が、前記信号列の伝送経路上で発生したノイズによる誤差を前記単位信号ごとに補正し、前記算出手段が、複数の前記単位信号に関して、前期受信信号を前記補正手段によって補正した信号に含まれる当該複数の単位信号に関する前記補正ノイズの量を示す値の平均値を算出し、前記判定手段が、前記補正ノイズが前記所定の基準量以下になったことを前記算出手段が算出した前記平均値が示した場合に、前記補正ノイズが前記所定の基準量以下になったことを当該平均値が示した後の所定の期間内に前記算出手段が繰り返し算出した前記平均値に基づいて、当該所定の期間における前記受信信号の受信状況が良好か否かを判定することが好ましい。単位信号の長さに比べて短期間に受信状況が変化する場合には、そのような短期間の変化に応じて供給電力を制御すると、頻繁に電力が変更されたり、状況の変化に制御が追随できなかったりするため、適切な制御がなされない。上記の構成によると、単位信号ごとに補正される場合に、複数の単位信号に関して補正ノイズの大きさを示す値の平均値が算出され、その平均値に基づいて供給電力の制御がなされる。したがって、ある程度長期間に亘る受信状況の変化に応じて供給電力が制御されるため、適切に供給電力が制御される。なお、ここで平均値は、単位信号あたりの平均であってもよいし、単位時間当たりの平均であってもよい。
【００１１】
また、本発明においては、前記判定手段が、前記所定の期間内に前記算出手段が繰り返し算出した前記平均値がいずれも前記補正ノイズが前記所定の基準量以下であることを示した場合に、当該所定の期間における前記受信信号の受信状況が良好であると判定することが好ましい。この構成によると、一時的に受信状況が変化した場合には供給電力が変更されず、補正ノイズの量が基準量以下であることを一定期間平均値が示して初めて供給電力が変更される。したがって、より確実に適切な電力供給の制御がなされる。
【００１２】
また、本発明においては、前記判定手段が、前記所定の期間内に前記算出手段が繰り返し算出した前記算出値全体の分散と前記補正ノイズが前記所定の基準量以下であることを示す値との関係に基づいて、前記受信状況が良好であるか否かを判定してもよい。この構成によると、複数の算出値がどのように分布しているかに基づいて適切に供給電力の制御がなされる。
【００１３】
また、本発明においては、前記補正手段が、前記受信信号列に含まれる各単位信号に波形等化処理を施す波形等化手段を有しており、前記算出手段が、前記補正ノイズの量を示す値として、前記波形等化手段が施した波形等化処理に関するＭＥＲ（Ｍｏｄｕｌａｔｉｏｎ  Ｅｒｒｏｒ  Ｒａｔｉｏ）を算出することが好ましい。波形等化がなされる場合にはＭＥＲが簡易に算出されるので、算出手段が簡易な構成によって実現される。
【発明を実施するための最良の形態】
【００１４】
［第１の実施形態］
以下は、本発明の好適な実施形態の一例である第１の実施形態についての説明である。図１は、第１の実施形態に係る携帯通話装置１０００及び携帯通話装置１０００に設けられたデジタル復調装置１の全体の概略構成を示している。
【００１５】
本実施形態の携帯通話装置１０００はデジタル復調装置１を有している。携帯通話装置１０００がアンテナから受信した信号Ｓｒはデジタル復調装置１によって復調される。そして、デジタル復調装置１から出力された復調信号から文字や画像や音声やプログラムなどのデータに係る情報が取り出され、これらの文字や画像や音声やプログラムなどのデータが再現される。これらの文字、画像等は、携帯通話装置１０００に設けられた図示されていないディスプレイやスピーカなどを通じて携帯通話装置１０００の使用者に提供される。なお、デジタル復調装置１は、携帯通話装置の他、デジタルＴＶ（Television）、無線ＬＡＮ（Local Area Network）装置、無線ＬＡＮを搭載したＰＣ（Personal Computer）等に採用されてもよい。
【００１６】
デジタル復調装置１はチューナ１００、復調器２００及び制御部３００を有している。チューナ１００は復調器２００と電気的に接続されている。また、チューナ１００は、アンテナと電気的に接続されており、アンテナからの信号Ｓｒに選局処理を施す。つまり、アンテナからの信号Ｓｒに含まれる複数のチャンネルから１つのチャンネルを選択的に受信する。そして、選択的に受信したチャンネルに係る信号をＩＦ（Intermediate Frequency：中間周波数）信号に変換し、復調器２００へと送信する。復調器２００はチューナ１００から送信されるＩＦ信号を受信し、ＩＦ信号から復調信号、例えばいわゆるＴＳ（Transport Stream）信号を生成して出力する。
【００１７】
なお、デジタル復調装置１は複数の回路部品から構成されている。下記において特に断りがない限り、各回路部品は、それぞれ独立した機能を果たすように特化された回路素子の集合であってもよいし、汎用のプロセッサ回路等と下記の各機能を果たすようにプロセッサ回路などのハードウェアを機能させるプログラムとからなるものでもよい。後者の場合には、ハードウェア及びプログラムが組み合わされることによって回路部品が構築される。
【００１８】
＜信号列＞
以下は、携帯通話装置１０００が受信する信号列についての説明である。携帯通話装置１０００が受信する信号列は、複数の搬送波によって搬送されたものである。以下においては、本実施形態の一例として、携帯通話装置１０００が受信する信号列の伝送方式にＯＦＤＭ（Orthogonal Frequency Division Multiplexing）方式が採用されているものが示されている。
【００１９】
ＯＦＤＭ方式による信号は、規定の長さを有する多数のシンボルが連なった信号列からなり、１つのシンボルには複数の単位信号が重なり合って含まれている。これらの単位信号は、互いに異なる周波数の搬送波が所定のデータ長のデータに応じて変調されたものである。また、各シンボルには、データが含まれている有効な部分以外に、ガードインターバルが含まれている。ガードインターバルは、有効部分の後端の一部分と全く同じ信号の成分を有しており、シンボルの先端に挿入されている。ガードインターバルは、信号列を送信する送信局から携帯通話装置１０００までの伝送経路に発生する複数のマルチパス波の影響を受信信号から取り除くために用いられる。なお、１つのシンボルに含まれる有効部分の長さは有効シンボル長と呼ばれる。
【００２０】
さらに、ＯＦＤＭ方式による信号には、複数のスキャッタードパイロット信号が含まれている。ＯＦＤＭ方式による信号に含まれるスキャッタードパイロット信号は、信号列に含まれる単位信号を時間方向及び周波数方向からなる平面に配置した場合に、周波数方向及び時間方向のそれぞれに関して等間隔に配列される。また、スキャッタードパイロット信号は、規定の符号法などで表される数列が所定の配置順で信号列内に挿入されたものである。つまり、スキャッタードパイロット信号は、信号列内の所定の配置順にスキャッタードパイロット信号が示す数値を取っていくと規定の符号法で表される数列が再現されるように、信号列内に配置されている。
【００２１】
この他、本実施形態において想定される信号列には、信号列に発生する誤りを訂正する誤り訂正処理を施すためのインターリーブや各種の符号化が施されている。例えば、符号化には、リードソロモン符号（以下、「ＲＳ符号」と呼称）やビタビ符号が用いられる。また、インターリーブには、ビットインターリーブ、バイトインターリーブ及び時間インターリーブや周波数インターリーブがある。これらは、伝送信号に含まれる信号に対応するデータを時間的に並べ替えたり周波数的に並べ替えたりするものである。各種の符号化やインターリーブが施された信号列に、携帯通話装置１０００において後述の復号処理やデインターリーブ処理が施されると、信号列に含まれる誤りが訂正され得る。
【００２２】
なお、本実施形態において想定されている信号列は、例えば、日本の地上デジタル放送に適用され得るものである。日本の地上デジタル放送に係る信号の伝送方式には、ＩＳＤＢ−Ｔ（Integrated Services Digital Broadcasting-Terrestrial）方式が採用されている。
【００２３】
＜チューナ＞
図２は、チューナ１００の構成を示すブロック図である。チューナ１００はＲＦアンプ部１０１、ミキサ部１０２、ＶＣＯ・ＰＬＬ部１０３、フィルタ部１０４及びＩＦアンプ部１０５を有している。チューナ１００に入力された信号Ｓｒは、ＲＦアンプ部１０１によって増幅されて、ミキサ部１０２へと出力される。一方、ＶＣＯ・ＰＬＬ部１０３は、特定のチャンネルに相当する周波数に基づくミキシング信号を生成する（選局処理）。ＶＣＯ・ＰＬＬ部１０３が生成したミキシング信号はミキサ部１０２へと出力される。そして、ミキサ部１０２は、ＲＦアンプ部１０１からの出力信号ＳｒとＶＣＯ・ＰＬＬ部１０３からのミキシング信号とから、ＩＦ周波数に応じたＩＦ信号Ｓｉを生成する。
【００２４】
ミキサ部１０２が生成したＩＦ信号Ｓｉはフィルタ部１０４へと出力される。フィルタ部１０４はミキサ部１０２からの出力信号Ｓｉから不要な信号成分を除去する。不要な信号成分が除去された信号ＳｉはＩＦアンプ部１０５へと主力される。ＩＦアンプ部１０５はフィルタ部１０４からの出力信号Ｓｉを増幅すると共に、増幅した信号Ｓｉを復調器２００へと出力する。
【００２５】
チューナ１００はさらに、電力供給部１１０を有している。電力供給部１１０は、ＲＦアンプ部１０１、ミキサ部１０２、フィルタ部１０４及びＩＦアンプ部１０５のそれぞれに電力を供給する（供給手段）。ＲＦアンプ部１０１等は、電力供給部１１０からの供給電力によって動作する。電力供給部１１０は、ＲＦアンプ部１０１等に供給する電力の大きさを示す下記の表１のデータを記憶している。
【００２６】
表１には、ＲＦアンプ部１０１〜ＩＦアンプ部１０５に対応する複数の電流値を１セットとする、ｎセットの電流値が含まれている。ここで、表１に含まれているＩｒ１〜Ｉｒｎ及びＩｍ１〜Ｉｍｎ等の各電流値は、Ｉｒ１≧Ｉｒ２≧Ｉｒ３≧…≧Ｉｒｎ（＜Ｉｒ１）、Ｉｍ１≧Ｉｍ２≧Ｉｍ３≧…≧Ｉｍｎ（＜Ｉｍ１）、…を満たすように設定されている。つまり、表１の上の行から下の行に含まれている数値ほど段階的に小さくなるように各電流値が設定されている。
【００２７】
電力供給部１１０は、現在のセット番号を示す１〜ｎのいずれかの数値を記憶している。そして、表１を参照して、現在のセット番号に対応するセットの電流値の電流を、その電流値に対応するＲＦアンプ部１０１〜ＩＦアンプ部１０５の回路部品へと供給する。例えば、現在のセット番号が３である場合には、ＲＦアンプ部１０１にはＩｒ３の大きさの電流が、ミキサ部１０２にはＩｍ３の大きさの電流がそれぞれ供給される。また、電力供給部１１０には、制御部３００から、現在のセット番号を新たなセット番号に更新するよう指示する信号が送信される。かかる信号が送信されると、電力供給部１１０は、現在のセット番号を制御部３００からの信号が示す新たなセット番号に更新する。
【００２８】
【表１】
2008141660.tif 000003
【００２９】
＜復調器＞
以下は、復調器２００についての説明である。図３は復調器２００の構成を示すブロック図である。図３に示されているように、復調器２００は、下記に示されるＡＤＣ部２０１等の複数の回路部品から構成されている。
【００３０】
復調器２００は、ＡＤＣ部２０１、ＡＦＣ・シンボル同期部２０２、ＦＦＴ部２０３、フレーム同期部２０４、波形等化部２０５及び誤り訂正部２０６を有している。チューナ１００から出力されたＩＦ信号ＳｉはＡＤＣ部２０１に入力される。ＡＤＣ部２０１は、アナログ信号である入力された信号Ｓｉをデジタル信号に変換する共に、変換したデジタル信号をＡＦＣ・シンボル同期部２０２へと出力する。
【００３１】
ＡＦＣ・シンボル同期部２０２は、ＡＤＣ部２０１からのデジタル信号に対してフィルタ処理などを行う。そして、ＡＦＣ・シンボル同期部２０２は、後述のＦＦＴ部２０３によるフーリエ変換の開始点、つまり、シンボル同期点を決定してシンボル同期を取ると共に、デジタル信号をＦＦＴ部２０３へと出力する。なお、ＡＦＣ・シンボル同期部２０２がシンボル同期点に係る情報を制御部３００へと送信したり、ＡＦＣ・シンボル同期部２０２が、有効シンボル長を示すモードに係る情報を導出し、その情報を制御部３００へと送信してもよい。
【００３２】
なお、ＩＳＤＢ−Ｔ方式において、有効シンボル長を示すモードには、モード１（有効シンボル長２５２μｓ）、モード２（有効シンボル長５０４μｓ）及びモード３（有効シンボル長１００８μｓ）がある。シンボル同期点の決定においては、マルチパス波の影響が最も少ない最適な受信が可能な点が同期点として設定される。このような同期点の決定方法として、信号の相関を参照する方法や、スキャッタードパイロット信号などのパイロット信号を用いて位相のずれを補正する方法等が用いられる。
【００３３】
ＦＦＴ（Fast Fourier Transform）部２０３は、ＡＦＣ・シンボル同期部２０２からのデジタル信号をフーリエ（時間−周波数）変換する。このフーリエ変換には、いわゆる高速フーリエ変換（ＦＦＴ）が一般的に用いられる。ＦＦＴ部２０３は、フーリエ変換を施したデジタル信号をフレーム同期部２０４へと順次出力する。
【００３４】
フレーム同期部２０４は、ＦＦＴ部２０３から送られたデジタル信号におけるフレーム単位での同期をとる。１フレームは例えば２０４のシンボルからなり、１フレームの信号から１まとまりのＴＭＣＣ情報が取得される。フレーム同期部２０４によって同期が取られたデジタル信号は波形等化部２０５へと出力する。
【００３５】
波形等化部２０５は、デジタル信号に含まれるスキャッタードパイロット信号に基づき、フレーム同期部２０４によって同期が取られたデジタル信号に波形等化処理を施す（波形等化手段）。波形等化処理は、単位信号に生じたコンスタレーションの基準値からのずれを補正する、信号の補正処理の一種である。このようなコンスタレーションの基準値からのずれは主に、信号の伝送経路上で発生するノイズに起因して発生する。
【００３６】
波形等化処理は以下のような手順でなされる。まず、波形等化部２０５は、フレーム同期部２０４からの信号列からスキャッタードパイロット信号を抽出する。一方で、波形等化部２０５は、スキャッタードパイロット信号に用いられている規定の符号法に基づく数列を示す信号を、基準信号として順に生成する。そして、生成した基準信号で抽出したスキャッタードパイロット信号を除算する。
【００３７】
次に、波形等化部２０５は、上記の除算結果を時間方向及び周波数方向の両方向に関して補間する。かかる補間には、線形補間や最尤法などが用いられる。そして、波形等化部２０５は、フレーム同期部２０４からの信号列に含まれる各単位信号を、補間した数値で除算する。これによって、信号列に波形等化処理が施される。波形等化処理が施された単位信号は、所定のデータ長を有する各データにデマップされる。デマップされた結果は、誤り訂正部２０６へと出力される。
【００３８】
一方で、波形等化部２０５は、信号列をデマップした際に、波形等化処理が施された信号列のコンスタレーションとコンスタレーションの基準値との差、つまり、ＭＥＲ（Modulation Error Ratio）を、単位信号ごとに計測する。ＭＥＲは受信信号のコンスタレーションに関する誤差を示している。なお、本実施形態においてＭＥＲは、その値が大きいほど受信信号の強度に対してノイズの量が小さいことを示すように算出されている。波形等化部２０５が計測した単位信号ごとのＭＥＲ計測値は、波形等化処理が施された順に制御部３００へと出力される。
【００３９】
誤り訂正部２０６は波形等化部２０５からの信号に誤り訂正処理を施す。誤り訂正処理は、送信元において信号に施されたインターリーブ及び符号化に対応するデインターリーブ処理及び復号処理からなる。種々のインターリーブが施されたデジタル信号が、デインターリーブ処理によりインターリーブ前のデジタル信号に戻されると共に、符号化が施されたデジタル信号が、復号処理により符号化前のデジタル信号に戻される。これによって、伝送経路において信号に含まれることとなった各種の誤りが訂正される。また、誤り訂正部２０６は、デジタル信号に誤り訂正処理を施した際の誤りの訂正量を計測し、ＢＥＲ（Ｂｉｔ  Ｅｒｒｏｒ  Ｒａｔｅ；ビット誤り率）を算出してもよい。そして、算出されたＢＥＲが、制御部３００へと出力されてもよい。
【００４０】
以上のように復調器２００によって復調処理が施されたデジタル信号がＴＳ信号として復調器２００から出力される。
【００４１】
＜制御部＞
図４は、制御部３００の構成を示すブロック図である。制御部３００は、プロセッサ回路や記憶装置などのハードウェアと、セット番号記憶部３０１、平均値算出部３０２、受信状況判定部３０３及びセット番号設定部３０４としてそのハードウェアを機能させる、プログラム及び各種データを含むソフトウェアとを有している。
【００４２】
セット番号記憶部３０１は、１〜ｎのいずれかの自然数を示すデータを記憶している。かかる自然数は、上記表１の電流値のセットのうち、現在のセット番号に対応している。平均値算出部３０２は、復調器２００から送信されたＭＥＲ計測値を示すデータに基づいて、ＭＥＲの平均値を算出する（算出手段）。平均値は、所定の数の単位信号に波形等化処理を施したときに計測される複数のＭＥＲ計測値の単位信号当たりの平均値である。受信状況判定部３０３は、平均値算出部３０２が算出した平均値に基づいて、現在の信号の受信状況が良好か否かを判定する（判定手段）。セット番号設定部は、受信状況判定部３０３の判定結果に基づいてセット番号を決定し、そのセット番号を示すデータをチューナ１００へと送信すると共に、セット番号記憶部３０１にセット番号を示すデータを記憶させる。
【００４３】
図５は、制御部３００の各機能部が実行する処理を示すフローチャートである。図５の処理は、制御部３００による電力供給制御を実行させるための条件が満たされた場合に実行される。例えば、携帯通話装置１０００によって特定の放送の受信が開始されたタイミングで実行される。
【００４４】
まず、制御部３００は、セット番号記憶部３０１にデフォルトのセット番号をセットすると共に、チューナ１００へとセット番号を１に設定するよう指示する信号を送信する（Ｓ１）。デフォルトのセット番号は１である。つまり、表１に示されるセットのうち、最も電流値が大きいセットがデフォルトである。
【００４５】
次に、制御部３００は、一定時間待機する（Ｓ２）。そして、平均値算出部３０２がＭＥＲの平均値を算出する（Ｓ３）。平均値は、例えば復調器２００から連続して送信される所定の数のＭＥＲ計測値を足し合わせ、その数で割ることにより算出される。
【００４６】
次に、受信状況判定部３０３は、平均値算出部３０２がＳ３において算出したＭＥＲ平均値が所定の減少閾値以上であるか否かを判定する（Ｓ４）。ここで、ＭＥＲ平均値が減少閾値に達していることは、受信信号に含まれるノイズの量が受信信号の強度に対してある基準量に達していることを示している。そしてこの基準量は、復調器２００において受信信号を正確に復調するためのノイズの量の限界より十分に小さく設定されていることが好ましい。なんとなれば、このように基準量が設定されているということは、ＭＥＲ平均値が減少閾値を超えている場合には、正確な復調が不可能となる限界量よりもノイズが十分に小さく、チューナ１００において供給電力をより小さいものに変更しても復調に問題が生じないこととなるからである。
【００４７】
ＭＥＲ平均値が減少閾値以上であると判定した場合（Ｓ４、ＹＥＳ）には、受信状況判定部３０３は、ＭＥＲ平均値が減少閾値以上になるのが所定の回数だけ、例えば５回連続したか否かを判定する（Ｓ９）。ＭＥＲ平均値が減少閾値以上になるのが所定の回数だけ連続していないと受信状況判定部３０３が判定した場合（Ｓ９、ＮＯ）には、制御部３００は、Ｓ２からの処理を実行する。ＭＥＲ平均値が減少閾値以上になるのが所定の回数だけ連続したと受信状況判定部３０３が判定した場合（Ｓ９、ＹＥＳ）には、制御部３００は、電流値減少処理を実行し（Ｓ１０）、その後Ｓ７の処理を実行する。
【００４８】
つまり受信状況判定部３０３は、Ｓ２〜Ｓ４及びＳ９の一連の処理においてＭＥＲ平均値が所定の減少閾値以上になったと判定した場合に、すぐには受信状況が良好になったと判定せずに、ＭＥＲ平均値を複数回に亘って算出する。そして、算出したＭＥＲ平均値が減少閾値以上になるのが所定の回数だけ連続した場合に初めて受信状況が良好になったものと判定し、電流減少処理が実行される。つまり、一旦ＭＥＲ平均値が減少閾値以上になった後、所定の期間内で良好な受信状況が安定して持続した場合にのみ、受信状況が良好になったものと判定される。
【００４９】
Ｓ４においてＭＥＲ平均値が減少閾値未満であると判定した場合（Ｓ４、ＮＯ）には、受信状況判定部３０３は、ＭＥＲ平均値が減少閾値より小さい所定のリセット閾値以下であるか否かを判定する（Ｓ５）。ＭＥＲ平均値がリセット閾値以下であると受信状況判定部３０３が判定した場合（Ｓ５、ＹＥＳ）には、制御部３００は、電流値リセット処理を実行し（Ｓ１１）、その後Ｓ７の処理を実行する。ＭＥＲ平均値がリセット閾値を超えていると判定した場合（Ｓ５、ＮＯ）には、受信状況判定部３０３は、ＭＥＲ平均値がリセット値より大きく減少閾値未満の所定の増加閾値以下であるか否かを判定する（Ｓ６）。ＭＥＲ平均値が増加閾値以下であると受信状況判定部３０３が判定した場合（Ｓ６、ＹＥＳ）には、制御部３００は、電流増加処理を実行し（Ｓ１２）、その後Ｓ７の処理を実行する。ＭＥＲ平均値が増加閾値を超えていると受信状況判定部３０３が判定した場合（Ｓ６、ＮＯ）には、制御部３００はＳ７の処理を実行する。
【００５０】
Ｓ７において制御部３００は、一連の供給電力制御を終了するべきか否かを判定する（Ｓ７）。例えば特定の放送を受信するのを終了した場合など、一連の供給電力制御を終了する条件が満たされたと判定した場合（Ｓ７、ＹＥＳ）には、制御部３００は、電流セット番号をデフォルト値である１に設定してセット番号記憶部３０１に記憶させると共に、チューナ１００へとセット番号を１に設定するよう指示する信号を送信する（Ｓ８）。そして、一連の処理を終了する。Ｓ７において一連の供給電力制御を継続するべきと判定した場合（Ｓ８、ＮＯ）には、制御部３００は、Ｓ２からの処理を実行する。
【００５１】
図６（ａ）〜図６（ｃ）は、図５の処理において実行される、電流値減少処理、電流値リセット処理及び電流値増加処理のフローチャートをそれぞれ示している。電流値減少処理が実行されると、セット番号設定部３０４は、まずセット番号記憶部３０１が記憶している現在のセット番号がｎ未満であるか否かを判定する（Ｓ２０）。セット番号がｎ以上であるとセット番号設定部３０４が判定した場合（Ｓ２０、ＮＯ）には、電流値減少処理が終了する。セット番号がｎ未満であると判定した場合（Ｓ２０、ＹＥＳ）には、セット番号設定部３０４は、セット番号記憶部３０１にセット番号を１増加して記憶させると共に、かかる１増加したセット番号に現在のセット番号を更新するように指示する信号をチューナ１００へと送信する（Ｓ２１）。これによって、チューナ１００において供給される全体の電力が低減される。そして、電流値減少処理が終了する。
【００５２】
電流値リセット処理が実行されると、セット番号設定部３０４は、まずセット番号記憶部３０１が記憶している現在のセット番号が１を超えているか否かを判定する（Ｓ２５）。セット番号が１を超えていないとセット番号設定部３０４が判定した場合（Ｓ２５、ＮＯ）には、電流値リセット処理が終了する。セット番号が１を超えていると判定した場合（Ｓ２５、ＹＥＳ）には、セット番号設定部３０４は、セット番号記憶部３０１にデフォルト値１を記憶させると共に、セット番号を１に更新するように指示する信号をチューナ１００へと送信する（Ｓ２６）。そして、電流値リセット処理が終了する。
【００５３】
電流値増加処理が実行されると、セット番号設定部３０４は、まずセット番号記憶部３０１が記憶している現在のセット番号が１を超えているか否かを判定する（Ｓ３０）。セット番号が１を超えていないとセット番号設定部３０４が判定した場合（Ｓ３０、ＮＯ）には、電流値増加処理が終了する。セット番号が１を超えていると判定した場合（Ｓ３０、ＹＥＳ）には、セット番号設定部３０４は、セット番号記憶部３０１にセット番号を１減少して記憶させると共に、かかる１減少したセット番号に現在のセット番号を更新するように指示する信号をチューナ１００へと送信する（Ｓ３１）。これによって、チューナ１００において供給される全体の電力が増加される。そして、電流値増加処理が終了する。
【００５４】
＜本実施形態の効果＞
以上のように本実施形態によると、ＭＥＲ平均値が１回だけ減少閾値以上になってもすぐには受信状況が良好になったとは判定せず、ＭＥＲ平均値が所定の回数だけ減少閾値以上になったことをもって初めて受信状況が良好になったものとして、供給電力を低減する。つまり、所定の期間内でＭＥＲ平均値が安定して持続したと判定された場合に初めて受信状況が良好になったものと判定される。したがって、一時的にＭＥＲ平均値が減少閾値以上になっただけの場合であってもすぐには供給電力を変更しないので、電力供給が安定になされると共に、受信状況が良好になった場合には供給電力が低減されるので、携帯通話装置１０００全体の消費電力が抑制される。
【００５５】
また、ＭＥＲ平均値が減少閾値より小さい増加閾値以下になった場合には供給電力を増加する処理が実行される。したがって、一旦低減された供給電力が受信状況の悪化に伴って増加されるので、受信信号の正確な復調が確保される。さらに、ＭＥＲ平均値が増加閾値より小さいリセット閾値以下になると、最も大きい電流値のセットであるデフォルトのセット値１に供給電流の大きさが設定される。したがって、受信状況が急激に悪化した場合に適切に対応した供給電力の制御がなされる。
【００５６】
［第２の実施形態］
以下は第２の実施形態に係る説明である。第２の実施形態において第１の実施形態と異なるのは、受信状況判定部３０３が受信状況を良好と判定する際の判定方法である。図７は、第２の実施形態において制御部３００が実行する処理を示す、第１の実施形態の図５に対応するフローチャートである。図７において、図５の処理と同じ内容の処理には同じステップ番号（「Ｓ１」など）が付されている。また下記において、第１の実施形態と同じ構成や処理に係る説明は省略されている。
【００５７】
図７において図５と異なるのは、Ｓ１０１〜Ｓ１０３である。Ｓ４においてＭＥＲ平均値が減少閾値以上であると受信状況判定部３０３が判定する（Ｓ４、ＹＥＳ）と、平均値算出部３０２は復調器２００から送信されるＭＥＲの値を１つずつ記憶する（Ｓ１０１）。そして、所定の個数だけＭＥＲ値を記憶したと判定するまで、ＭＥＲ値の蓄積を繰り返す（Ｓ１０２、ＮＯ及びＳ１０１）。所定の個数だけＭＥＲ値を蓄積する（Ｓ１０２、ＹＥＳ）と、平均値算出部３０２は、蓄積したＭＥＲ値の平均を算出すると共に、その分散を算出する。そして、受信状況判定部３０３は、平均値算出部３０２が算出したＭＥＲ値の分散に基づいて、受信状況が良好か否かを判定する（Ｓ１０３）。
【００５８】
具体的には、受信状況判定部３０３は、ＭＥＲ値の分散を算出すると共に、その分散に基づいてＭＥＲの分布を推定する。例えばＭＥＲ値の分布が正規分布であると推定し、その正規分布のうち減少閾値を超える部分が全体の分布に対してどのくらいの割合になるかを、平均値算出部３０２が算出した分散に基づいて算出する。そして、その割合が所定の割合以上である場合には受信状況が良好であると判定し（Ｓ１０３、ＹＥＳ）、所定の割合未満である場合には受信状況が良好でないと判定する（Ｓ１０３、ＮＯ）。受信状況が良好と受信状況判定部３０３が判定した場合には、制御部３００はＳ１０の電流減少処理を実行し、受信状況が良好でないと受信状況判定部３０３が判定した場合には、制御部３００はＳ２からの処理を実行する。
【００５９】
つまり、第２の実施形態においては、ＭＥＲ平均値が減少閾値以上になったことが確認されると、その後の所定の期間内で複数個（例えば５００個）のＭＥＲ値が蓄積される。そして、そのＭＥＲ値の分散からＭＥＲ値の分布を推定し、その分布のうち減少閾値以上の部分の割合が所定の割合以上であるか否かに応じて、受信状況が良好か否かを判定する。例えば、統計的に正規分布を仮定した場合、平均値μ、分散σ２の時、ＭＥＲ値の分布の内、９５．４％がμ±２σの範囲に入ることから、μ±２σを閾値として受信状態の良否を判定する。したがって、ＭＥＲ値がどのように分布しているかに基づいて、受信状況が良好か否かが適切に把握され得る。
【００６０】
＜その他の変形例＞
以上は、本発明の好適な実施形態についての説明であるが、本発明は上述の実施形態に限られるものではなく、課題を解決するための手段に記載された内容の限りにおいて様々な変更が可能なものである。
【００６１】
例えば、上述の実施形態においては、チューナ１００の各回路部品に供給される電流が制御されているが、電圧が制御されてもよい。
【００６２】
また、図５のＳ９において、所定の回数だけＭＥＲ平均値を算出した後に、減少閾値を超えるＭＥＲ平均値が所定の割合を超えた場合に受信状況が良好であると判定されてもよい。
あるいは、図５のＳ９において、時間的に幾つかの区間を設定し、所定の回数だけＭＥＲ平均値と分散を算出した後に、全ての区間において、μ±２σの値が所定の値を超えた場合に受信状況が良好であると判定されてもよい。あるいは、図７のＳ１０３において、蓄積されたＭＥＲ値のうち減少閾値以上のものの全体の個数に対する割合が所定の割合を超えた場合に受信状況が良好であると判定されてもよい。
【００６３】
また、上述の実施形態においては、波形等化部２０５において測定されるＭＥＲに基づいて受信状況が良好か否かが判定されている。しかし、誤り訂正部２０６において誤り訂正処理が実行された際にＢＥＲが算出され、かかるＢＥＲに基づいて受信状況が良好か否かが判定されてもよい。誤り訂正処理も、波形等化処理と同様に、受信信号を正確に復調するためになされる補正処理の一つである。
【００６４】
なお、本実施形態は、文字、画像、プログラムなどのデータ、及び音声の少なくとも１つの再現処理を行うデジタルテレビジョン等の様々なデジタル受信装置に採用され得る。このようなデジタル受信装置は、復調処理が施された信号列から文字、画像、プログラムなどのデータ、音声等に係る情報を取得し、これらの文字等の再現処理を行う。この構成によると、適切に復調処理が施された信号列から文字等の再現処理がなされるため、再現処理の精度が向上する。
【図面の簡単な説明】
【００６５】
【図１】本発明の一実施形態である第１の実施形態に係る携帯通話装置の外観を示す概略図及びその概略構成を示すブロック図である。
【図２】図１のチューナの構成を示すブロック図である。
【図３】図１の復調器の構成を示すブロック図である。
【図４】図１の制御部の構成を示すブロック図である。
【図５】図４の制御部が実行する処理を示すフローチャートである。
【図６】図５の処理において呼び出されるサブルーチンのフローチャートである。
【図７】本発明の第２の実施形態に係るフローチャートである。
【符号の説明】
【００６６】
１      デジタル復調装置
１００  チューナ
１１０  電力供給部
２００  復調器
２０５  波形等化部
３００  制御部
３０１  セット番号記憶部
３０２  平均値算出部
３０３  受信状況判定部
３０４  セット番号設定部
１０００  携帯通話装置
【図１】
2008141660.tif 000004
【図２】
2008141660.tif 000005
【図３】
2008141660.tif 000006
【図４】
2008141660.tif 000007
【図５】
2008141660.tif 000008
【図６】
2008141660.tif 000009
【図７】
2008141660.tif 000010